(57)【特許請求の範囲】
【請求項１】
吸気行程にある作動室内に直接燃料を噴射する燃料噴射弁を備えたロータリピストンエンジンの燃料噴射装置であって、
上記吸気行程にある作動室に面するロータのフランク面にはリセスが凹設され、
上記燃料噴射弁は、燃料を噴射する複数の噴孔を備えており、
上記複数の噴孔の一部が、上記吸気行程の前半にある作動室に面して開口する吸気ポートを指向して燃料を噴射するように設けられ、
残りの噴孔が、上記リセスを指向して燃料を噴射するように設けられていることを特徴とするロータリピストンエンジンの燃料噴射装置。
【請求項２】
請求項１に記載のロータリピストンエンジンの燃料噴射装置において、
上記燃料噴射弁による燃料噴射時期が、吸気行程前半における、−１５０°ＡＢＤＣを中心とする−１７０°〜−１３０°ＡＢＤＣとなる期間内に設定されていることを特徴とするロータリピストンエンジンの燃料噴射装置。
【請求項３】
請求項１又は２に記載のロータリピストンエンジンの燃料噴射装置において、
上記リセスを指向した燃料噴霧である衝突噴霧、及び上記吸気ポートを指向した燃料噴霧である非衝突噴霧の各噴霧量が、略同一に設定されていることを特徴とするロータリピストンエンジンの燃料噴射装置。
【請求項４】
請求項１〜３のいずれか１つに記載のロータリピストンエンジンの燃料噴射装置において、
上記ロータの回転軸方向から見て、ロータ収容室は略楕円形状を有し、
上記燃料噴射弁の複数の噴孔が、上記ロータ収容室の長軸線近傍において上記ロータの回転方向遅れ側である吸気ポート寄りに配設されていることを特徴とするロータリピストンエンジンの燃料噴射装置。
【発明の詳細な説明】
【技術分野】
【０００１】
本発明は、いわゆる直噴型のロータリピストンエンジンに関し、特に、その燃焼安定性を向上するための燃焼噴射技術に関する。
【背景技術】
【０００２】
この種の技術に関し、例えば、噴射した燃料が点火時に点火プラグの近傍に集中するようにしたものがある（特許文献１）。そこでは、ロータの回転に伴って吸気行程の後半から圧縮行程にかけてロータの回転方向に旋回するように発生する渦流の流れに沿うように燃料を噴射している。
【０００３】
そうすることで、安定した成層化燃焼を実現でき、作動室の内壁面への燃料の付着も軽減できる。
【特許文献１】特開平６−２８８２４９号公報
【発明の開示】
【発明が解決しようとする課題】
【０００４】
その一方で、これとは別の観点から、噴射した燃料を吸気の流れに載せて拡散させ、作動室内に均一な混合気を形成して燃焼させる試みも行われている。
【０００５】
ところが、この場合、ロータリピストンエンジンの作動室における吸気の流動状態がエンジンの運転状態によって大きく変化するため、作動室の内壁面に燃料を付着させずに噴射した燃料を均一に拡散させる、という作用を安定して得ることは難しい。
【０００６】
本発明はかかる点に鑑みてなされたものであり、その目的とするところは、吸気の流動状態が大きく変化しても安定して、作動室内壁面への燃料付着を抑制でき、噴射した燃料を均一に拡散させることのできるロータリピストンエンジンの燃料噴射装置を提供することにある。
【課題を解決するための手段】
【０００７】
上記目的を達成するために、本発明では、燃料噴射弁に複数の噴孔を設け、吸気行程にある作動室において、これら噴孔からの燃料の噴霧が、吸気ポートとロータのリセスとをそれぞれ指向するように設定した。
【０００８】
すなわち、具体的には、吸気行程にある作動室内に直接燃料を噴射する燃料噴射弁を備えたロータリピストンエンジンの燃料噴射装置であって、上記吸気行程にある作動室に面するロータのフランク面にはリセスが凹設され、上記燃料噴射弁は、燃料を噴射する複数の噴孔を備えており、上記複数の噴孔の一部が、上記吸気行程にある作動室に面して開口する吸気ポートを指向して燃料を噴射するように設けられ、残りの噴孔が、上記リセスを指向して燃料を噴射するように設けられている構成とする。
【０００９】
この構成によれば、まず、上記複数の噴孔の一部からは吸気ポートに向かって燃料が噴射されるが、吸気ポートは作動室に面して開口しており、そこには壁面はないので、燃料の噴霧が付着することはない（以下、非衝突噴霧という）。しかも、その開口から作動室内に向かって流れ込む吸気流との衝突によって、燃料の微粒化及び気化、霧化が促進されるとともに、その吸気流によって燃料が効果的に拡散される。
【００１０】
一方、上記残りの噴孔からはロータのフランク面に凹み形成されたリセスに向かって燃料が噴射される。この燃料の噴霧はロータのリセスに衝突するが（以下、衝突噴霧という）、その一部は作動室内に反射され、燃料の内壁面への付着が抑制されるとともに、燃料が効果的に分散される。
【００１１】
そして、非衝突噴霧は吸気流動の影響を強く受ける一方、衝突噴霧はあまり吸気流動の影響を受けないので、このように、２つの方向に燃料噴霧を振り分けて異なる作用を組み合わせることで、吸気の流動状態の変化による影響を緩和することができ、燃料の内壁面への付着抑制及び燃料の均一拡散を安定して実現することができる。
【００１２】
なお、この場合、上記燃料噴射弁による燃料噴射時期は、吸気行程前半の吸気流速が所定値以上となる期間内に設定するとよい。そうすれば、吸気の運動エネルギーを効率よく利用して、燃料の拡散を促進できる。
【００１３】
特に、実験による検証結果に基づけば、上記リセスを指向する衝突噴霧の噴霧量と、上記吸気ポートを指向する非衝突噴霧の噴霧量とは、略同一に設定するのが好ましい。そうすれば、安定した燃焼性能を得ることができる。尚、ここでいう略同一とは、実質的同一の意味であり、同一の噴霧量近傍の、同じ作用効果が得られる実用上許容される範囲も含む。
【００１４】
また、上記燃料噴射弁の複数の噴孔は、上記ロータの回転軸方向から見て略楕円形状を有する上記ロータ収容室の長軸線近傍において、上記ロータの回転方向遅れ側である吸気ポート寄りに配設するようにしておくとよい。そうすれば、吸気行程にある作動室内へ比較的早期に燃料を噴射することができる。
【発明の効果】
【００１５】
以上のように、燃料の噴霧を吸気ポートとロータのリセスとに分けて指向させた本発明によれば、作動室における吸気の流動が大きく変化しても、安定して、作動室の内壁面への燃料の付着を抑制することができるとともに、噴射した燃料を均一に拡散させることができ、優れた燃焼性能を発揮するロータリピストンエンジンを実現することができる。
【発明を実施するための最良の形態】
【００１６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００１７】
（エンジンの全体構成）
図１及び図２に、本発明の燃料噴射装置を適用したロータリピストンエンジン１（以下、単にエンジン１という）を示す。
【００１８】
図１に示すように、このエンジン１は、２つのロータ２，２を備えた２ロータタイプであり、２つのロータハウジング３，３が、インターミディエイトハウジング４をその間に挟んだ状態で、これらの両側からさらに２つのサイドハウジング５，５で挟み込むようにして一体化されている。尚、図１では、その右側の一部は切り欠いて内部を示すとともに、左側のサイドハウジング３も内部を示すために分離してある。また、図中の符号Ｘはエキセントリックシャフト６の軸心となる回転軸である。
【００１９】
そして、各ロータハウジング３，３の、平行トロコイド曲線で描かれるトロコイド内周面３ａ，３ａと、これらロータハウジング３，３を両側から挟むサイドハウジング５，５の内側面５ａ，５ａと、インターミディエイトハウジング４の両側の内側面４ａ，４ａとで、図２に示すように、回転軸Ｘの方向から見て繭のような略楕円形状をしたロータ収容室７が２つ横並びに区画されており、これらロータ収容室７にそれぞれロータ２が１つずつ収容されている。各ロータ収容室７，７は、インターミディエイトハウジング４に対して対称状に配置されており、ロータ２の位置、位相が異なっている点を除けば構成は同じであるため、以下、１つのロータ収容室７について説明する。
【００２０】
ロータ２は、回転軸Ｘの方向から見て各辺の中央部が膨出する略三角形状をしたブロック体からなり、その外周には、各頂部間に３つの略長方形をしたフランク面２ａ，２ａ，２ａが備えられている。各フランク面２ａの中央部分には、その長軸方向に延びるリセス２ｂが形成されている。このリセス２ｂの具体的形状については後述する。
【００２１】
そして、ロータ２は、各頂部に図示しないシール部を有し、これらシール部がロータハウジング３のトロコイド内周面３ａに摺接しており、このロータハウジング３のトロコイド内周面３ａと、インターミディエイトハウジング４の内側面４ａと、サイドハウジング５の内側面５ａと、ロータ２のフランク面２ａとで、ロータ収容室７の内部にそれぞれ３つの作動室８，８，８が区画形成されている。
【００２２】
また、ロータ２の内側には位相ギアが設けられている（図示せず）。すなわち、ロータ２の内側の内歯車（ロータギア）とサイドハウジング５側の外歯車（固定ギア）とが噛合するとともに、ロータ２は、インターミディエイトハウジング４及びサイドハウジング５を貫通するエキセントリックシャフト６に対して、遊星回転運動をするように支持されている。
【００２３】
すなわち、ロータ２の回転運動は内歯車と外歯車との噛み合いによって規定され、ロータ２は、３つのシール部が各々ロータハウジング３のトロコイド内周面３ａに摺接しつつ、エキセントリックシャフト６の偏心輪６ａの周りを自転しながら、回転軸Ｘの周りに自転と同方向に公転する（この自転、公転を含め、広い意味で単にロータの回転という）。そして、ロータ２が１回転する間に３つの作動室８，８，８が周方向に移動し、それぞれで吸気、圧縮、膨張（燃焼）及び排気の各行程が行われて、これにより発生する回転力がロータ２を介してエキセントリックシャフト６から出力される。
【００２４】
より具体的に、図２において、ロータ２は矢印で示すように、時計回りに回転しており、回転軸Ｘを通るロータ収容室７の長軸Ｙを境に分けられるロータ収容室７の左側が概ね吸気及び排気行程の領域となり、右側が概ね圧縮及び膨張行程の領域となっている。
【００２５】
そして、左上側の作動室８に着目すると、これは吸気と噴射された燃料とで混合気を形成する吸気行程を示しており、この作動室８がロータ２の回転に連れて圧縮行程に移行すると、その内部にて混合気が圧縮される。その後、図の右側に示す作動室８のように圧縮行程の終盤から膨張行程にかけて所定のタイミングにて点火プラグ９，９により点火されて、燃焼・膨張行程が行われる。そして、最後に図の左下側の作動室８のような排気行程に至ると、燃焼ガスが排気ポート１０から排気された後、再び吸気行程に戻って各行程が繰り返されるようになっている。本発明の燃料噴射装置は、上記各行程のうち、吸気行程を対象としているため、その吸気行程にある作動室８（以下、吸気作動室８という）について更に詳しく説明する。
【００２６】
（燃料噴射装置の構成）
吸気作動室８は、先に説明したようにロータ２の回転に伴ってロータ収容室７の長軸Ｙ方向の一端側（図２の上側）において形成されており、この吸気作動室８内に直接燃料を噴射するようにインジェクタ１５（燃料噴射弁）が配設されている。
【００２７】
この吸気作動室８には、複数の吸気ポート１１，１２，１３が連通している。すなわち、吸気作動室８に面するインターミディエイトハウジング４の内側面４ａには、ロータ収容室７の外周側の短軸Ｚ寄りに第１吸気ポート１１が開口している。また、図１に示すように、吸気作動室８に面するサイドハウジング５の内側面５ａには、第１吸気ポート１１に対向するように、そのロータ収容室７の外周側の短軸Ｚ寄りに第２吸気ポート１２及び第３吸気ポート１３が開口している。
【００２８】
そうして、例えば、エンジン１の低回転域では、第１吸気ポート１１のみから吸気され、吸気量が不足するようになると第２吸気ポート１２からも吸気され（中回転域）、更に吸気量が不足するようになると第３吸気ポート１３からも吸気されて（高回転域）、吸気量が変化しても最適な吸気流速を維持して、エンジン１の低負荷低回転から高負荷高回転までの全運転領域に渡って効率よく吸気できるようになっている。
【００２９】
ところが、このようにエンジン１の運転状態によって吸気量、吸気方向等が大きく変化すると、吸気作動室８内の流動状態も大きく変化することとなり、その変化に燃料の噴射を対応させることが燃焼安定性を向上させるうえで重要となる。
【００３０】
そこで、まず、このような複数の吸気ポート１１，１２，１３を備えた吸気作動室８に対し、吸気による燃料の拡散性が最適となるように、燃料噴射時期が、吸気行程前半の吸気流速が所定値以上となる期間内に設定されている。換言すれば、吸気作動室８が、エキセン角で下死点後−１５０°（−１５０°ＡＢＤＣ）となるタイミングを中心とした期間内に、燃料噴射時期が設定されている。
【００３１】
具体的には、図３に示すような吸気作動室８内における吸気の流動解析を行い、吸気行程の各期間における吸気の運動エネルギーを調べた。図中の矢印線は、各点における吸気流の向きを示している。
【００３２】
尚、ここでいうエキセン角とは、図３の（ｂ）に仮想線で示すように、ロータ２の頂部が下端に位置し、吸気作動室８の容積が最大になる状態（下死点：ＢＤＣ）を基準（０°ＡＢＤＣ）とし、これに対するエキセントリックシャフト６の回転方向側への回転角であり、実線で示すように、ロータ２が逆方向に約８０°戻った状態が−１５０°ＡＢＤＣに相当している。
【００３３】
吸気行程における−２１０°〜−６０°ＡＢＤＣの範囲で、吸気作動室８内での吸気の運動エネルギーを比較した結果を図４のグラフに示す。このグラフに示すように、−１５０°ＡＢＤＣをピークに吸気の運動エネルギーが大きくて、吸気流速も大きく、激しい吸気流の流動が形成されていることがわかる。従って、吸気行程前半の−１５０°ＡＢＤＣを中心にして、−１７０°〜−１３０°ＡＢＤＣの範囲、更に好ましくは−１６０°〜−１４０°ＡＢＤＣの期間内で燃料を噴射すれば、効率よく燃料を拡散させることができる。
【００３４】
そして、その燃料の噴射は、ロータ収容室７の吸気作動室８が形成される側に設けられた１つのインジェクタ１５から直接、吸気作動室８内に噴射されるように構成されている（例えば、図２参照）。このインジェクタ１５は、先端部に燃料を噴射する複数の噴孔１５ａ，・・・を有するマルチホール型であり、本実施形態では、図５に示すように、８個の噴孔１５ａがある。各噴孔１５ａは、それぞれ噴孔径（断面積）やその長さ、角度の設定によって噴霧量やその噴霧方向を調整できるようになっており、最適な燃料の噴射が行えるように、これら噴孔の噴射方向及び噴射位置に工夫が凝らされている。
【００３５】
まず、その噴射方向であるが、図６の（ａ）に示すように、燃料の噴霧が吸気作動室８の内壁に衝突しないように、一部の噴孔１５ａ（ここでは４つの噴孔）は吸気ポート１１，１２，１３を指向して燃料を噴射するように設定されている（これら噴孔１５ａ，・・・から噴射される噴霧をまとめて非衝突噴霧Ｓ１という）。一方、同図の（ｂ）に示すように、燃料の噴霧がロータ２に衝突するように、残り噴孔１５ａ（ここでは４つの噴孔）は回転するロータ２のフランク面２ａに凹むリセス２ｂを指向して燃料を噴射するように設定されている（これら噴孔１５ａ，・・・から噴射される噴霧をまとめて衝突噴霧Ｓ２という）。尚、図５は−１５０°ＡＢＤＣの状態を示している。
【００３６】
具体的には、図６の（ａ）において、非衝突噴霧Ｓ１では、ロータ収容室７の長軸Ｙに対して吸気ポート１１，１２，１３側に略４０°傾斜した方向にその噴霧中心が一致するように各噴孔１５ａ，・・・を指向させている。この略４０°は、この状態（−１５０°ＡＢＤＣ）における吸気作動室８の両端に位置するロータ２の頂部を結ぶ直線とロータ収容室７の長軸Ｙとの傾斜角に基づくものである。
【００３７】
一方、衝突噴霧Ｓ２では、図６の（ｂ）に示すように、リセス２ｂの形状に合わせてロータ収容室７の長軸Ｙに対して吸気ポート１１，１２，１３側に０°〜３０°傾斜した方向にその噴霧中心が一致するように各噴孔１５ａ，・・・を指向させている。
【００３８】
ここで、リセス２ｂの形状について具体的に説明すると、図１に示すように、リセス２ｂは、ロータ２の各フランク面２ａの略中央部位で、フランク面２ａから緩やかに内側に傾斜した曲面を有する凹みであり、フランク面２ａの長軸方向に延びた長細形状をしている。そのため、このリセス２ｂの表面に向けて噴射された燃料は、図７の矢印線で示すように、リセス２ｂの表面に衝突すると、吸気作動室８内の中央に向けて反射され、吸気作動室８の内側面４ａ，５ａに付着し難くなっている。
【００３９】
次に、噴射位置であるが、８つの噴孔１５ａ，・・・は、ロータ収容室７の長軸Ｙ線近傍のロータ２の回転方向遅れ側である吸気ポート１１，１２，１３寄りに配設され、そこから吸気作動室８内に臨むように構成されている。
【００４０】
具体的には、図６の（ａ）において、吸気作動室８に面するロータ収容室７を区画するトロコイド内周面３ａに接する４０°傾斜した接線Ｌ１と、吸気作動室８に面するロータ２のリセス２ｂの表面に接する４０°傾斜した接線Ｌ２との間の中間線Ｌ３が、トロコイド内周面３ａと交わる長軸Ｙ側の部位に各噴孔１５ａ，・・・が設けられている。こうすることで、吸気作動室８内に比較的早期に燃料を噴射することができ、また、略４０°の非衝突噴霧Ｓ１の燃料噴射方向と相俟って、非衝突噴霧Ｓ１で噴射した燃料が衝突せずに吸気作動室８内を飛ぶ噴霧距離を大きくすることができる。
【００４１】
更に、このように振り分けた非衝突噴霧Ｓ１の噴霧量と衝突噴霧Ｓ２の噴霧量とは、略同一に設定するのが好ましい。この噴霧量の割合は、各種実験によって見出されたものである。以下、その実験１〜３の内容について説明する。
【００４２】
まず、実験を行うにあたって、図８に示すように、非衝突噴霧Ｓ１と衝突噴霧Ｓ２の、噴霧量の比率が異なる噴霧条件を設定した。例えば図中、条件Ａは、比較例として全噴霧量を非衝突噴霧Ｓ１に設定したものであり（Ｓ１：１００、Ｓ２：０）、条件Ｂ〜Ｄは、試験例として噴霧量を振り分けたものである（例えば、ＢはＳ１：７５、Ｓ２：２５）。また、各条件の下側には、その噴霧状態の概略図を示してある。
【００４３】
（実験１）
このような条件Ａ〜Ｄの各噴霧条件において、所定の噴射圧力（１２ＭＰａ）における燃費改善率（％）の比較を行った。その結果を図９のグラフに示す。図の縦軸は燃費改善率（％）であり、横軸は全噴霧量を１００としたときの衝突噴霧Ｓ２の割合を示している。尚、燃費改善率（％）は、公知のポート噴射型のロータリピストンエンジンに対するものであり、一般的な低回転数、低負荷の所定の条件（エンジン回転数：１５００ｒｐｍ、ＢＭＥＰ：２９４ｋＰａ等）の下で比較した。
【００４４】
図に示すように、比較例も含め、いずれの条件でも約２％の燃費改善率の増加が認められたが、なかでも条件Ｃ（Ｓ１：５０、Ｓ２：５０）の燃費改善率が最も高く、噴霧量の差が大きくなるに従って、燃費改善率が低くなる傾向が認められた。また、図示しないが、燃料の噴射圧を変えた場合には、噴霧量の差が大きくなるほど、燃費改善率のばらつきが大きくなる傾向も認められたことから、燃費改善率の観点からすると、衝突噴霧Ｓ２の噴霧量の割合は、全噴霧量を１００としておおよそ３０〜６０とするのが好ましく、中でも両者を同じに設定するのがより好ましいことが確認された。
【００４５】
（実験２）
次に、吸気の流動状態の変化が燃料改善率に及ぼす影響について調べた。エンジン１の運転状態に連動して吸気の流動状態が大きく変化することは先に説明したが、その変化に対して安定した効率な燃焼を実現させる必要があるからである。
【００４６】
実験では、第１吸気ポート１１のみから吸気した場合と、第１及び第２の吸気ポート１１，１２から吸気した場合と、この第１及び第２の吸気ポート１１，１２から吸気した場合において、その吸気量を半分に絞った場合の３つの吸気状態で燃費改善率（％）を比較した。尚、その他の諸条件は先の試験と同様である。
【００４７】
その結果を図１０のグラフに示す。そこには、比較例である上記条件Ａ（Ｓ１：１００：Ｓ２：０）と、試験例である上記条件Ｄ（Ｓ１：２５、Ｓ２：７５）の結果を示している。尚、図中符号Ｐは、第１吸気ポート１１から吸気した場合を示し、符号Ｐ＋Ｓは第１及び第２の吸気ポート１１，１２から吸気した場合、符号Ｐ＋Ｓ／２は第１及び第２の吸気ポート１１，１２から吸気量を半分に絞って吸気した場合を示している。
【００４８】
このグラフから明らかなように、条件Ｄでは、吸気状態の異なるいずれの条件でも２％近くの燃費改善率が認められ、ばらつきも小さく安定もしていた。条件Ａでは、２％を超える燃費改善率を示す条件も認められたが、その一方で０．５％にも満たない条件も認められ、燃費改善率が大きくばらつく傾向が認められた。これは、主として、条件Ａでは全噴霧量が吸気ポート１１，１２，１３に向けて噴射されているため、吸気状態の影響を強く受けたのに対し、条件Ｄでは噴霧量を振り分けたことで、その影響が抑制されたものと思われる。
【００４９】
従って、このように非衝突噴霧Ｓ１だけでなく、その一部を衝突噴霧Ｓ２に振り分けることで、吸気状態の変化に対しても、優れた燃費改善率を安定して発揮させられることが確認された。
【００５０】
（実験３）
燃料が吸気作動室８の内壁面に付着すると、燃焼不良を招いて微量のスモークが発生する。このスモークの発生を抑制することは、燃費の改善と同様にエンジンの燃焼性能上、重要な課題となっている。そこで、噴霧量の割合がスモークの発生に及ぼす影響を調べるために、先に説明した吸気行程（−２１０°〜−６０°ＡＢＤＣ）の各タイミングで燃料噴射を行い、そのときのスモークの発生量（ＦＳＮ）を比較した。尚、エンジンの回転数等、その他の諸条件は先の実験１等と同様である。
【００５１】
その結果を図１１のグラフに示す。そこには、上記条件Ｂ（Ｓ１：７５、Ｓ２：２５）と、上記条件Ｄ（Ｓ１：２５、Ｓ２：７５）の結果を示している。図に示すように、条件Ｂでは、吸気行程の広い範囲でスモークの発生が認められず、−１００°ＡＢＤＣを過ぎて僅かに発生が認められた。一方、条件Ｄでは、吸気行程の初期ではスモークの発生は認められなかったが、−１４０°ＡＢＤＣを過ぎるとスモークが発生する傾向が認められた。これは、衝突噴霧Ｓ２では回転するロータ２のリセス２ｂの反射を利用しているため、ロータ２の回転角度の影響を受け易く、その噴霧量の割合が増加すると、付着量が多くなり、気化、霧化が不十分になって燃焼不良が増加したものと思われる。従って、衝突噴霧Ｓ２の割合を過度に増やすことは、スモークの発生を招くおそれがあると考えられ、スモーク発生を抑制する観点からすれば、衝突噴霧Ｓ２の噴霧量の割合は７５を超えないのが好ましく、また、それ以下であればスモークの発生を効果的に抑制できることが確認された。
【００５２】
以上説明したように、ロータリピストンエンジンに本発明の燃料供給装置を適用すれば、燃料の付着が効果的に抑制できるとともに噴射した燃料を均一に拡散でき、安定した効率のよい燃焼を実現することができるようになる。
【００５３】
尚、本発明の構成は、前記実施形態のものに限定されることはなく、その他の種々の構成を包含する。すなわち、前記実施形態では、２ロータタイプのエンジン１を示したが、これに限るものではない。また、噴孔１５ａの個数は２個以上あればよい。吸気ポートの数も３つに限られず、２つであってもよい。インジェクタ１５の複数の噴孔１５ａは、ロータ収容室７の長軸Ｙ線上、あるいはその近傍の、吸気ポート１１，１２，１３から離れた方に配設することもできる。
【図面の簡単な説明】
【００５４】
【図１】本発明の実施形態に係るロータリピストンエンジンの概要を示す斜視図である。
【図２】同エンジンの要部の示す、一部を簡略化した断面図である。
【図３】吸気作動室８における流動解析を説明するための図である。（ａ）は斜視図であり、（ｂ）はその側面図である。
【図４】吸気作動室８における流動解析の結果を示すグラフである。
【図５】インジェクタの噴孔の模式図である。
【図６】燃料噴射装置の具体的構成を説明するための図である。（ａ）は非衝突噴霧の構成を、（ｂ）は衝突噴霧の構成を示している。
【図７】リセスでの燃料の反射を説明するための図である。
【図８】実験での噴霧条件をまとめた図である。
【図９】実験１の結果を示すグラフである。
【図１０】実験２の結果を示すグラフである。
【図１１】実験３の結果を示すグラフである。
【符号の説明】
【００５５】
１  ロータリピストンエンジン
２  ロータ
２ａ  フランク面
２ｂ  リセス
３  ロータハウジング
４  インターミディエイトハウジング
５  サイドハウジング
７  ロータ収容室
８  作動室（吸気作動室）
１１  第１吸気ポート
１２  第２吸気ポート
１３  第３吸気ポート
１５  インジェクタ（燃料噴射弁）
１５ａ  噴孔  
Ｘ  回転軸
Ｙ  長軸
Ｚ  短軸
【図１】
0004862797.tif 000002
【図２】
0004862797.tif 000003
【図３】
0004862797.tif 000004
【図４】
0004862797.tif 000005
【図５】
0004862797.tif 000006
【図６】
0004862797.tif 000007
【図７】
0004862797.tif 000008
【図８】
0004862797.tif 000009
【図９】
0004862797.tif 000010
【図１０】
0004862797.tif 000011
【図１１】
0004862797.tif 000012